(57)【要約】【課題】  プール底部の吸込口に遊泳者が吸い込まれた場合に、水を供給口から吸い込んで吸込口より噴出するものにおいて、ポンプを変えずとも従来のものより吸込口から噴出させる単位時間当たりの水量が多くでき、これにより吸い込まれた遊泳者を押し出すようにして救出し易くすることにある。【解決手段】  安全装置は、吸込口１００から吸い込む水の流量、流速または圧力が予め設定した値よりも低下したことを検出するための検出装置３０と、異常時において濾過装置２２を通さずに吸込口１００から水が噴出できるようにする供給側バイパス管３１及び吸込側バイパス管３２と、弁装置（二方弁３４０、３４１と、三方弁３４２）と、検出装置３０の検出により弁装置を作動させて供給側バイパス管３１及び吸込側バイパス管３２に水が流れるようにする制御装置３３を備えている。【選択図】        図１
2007039875.tif 000002
【特許請求の範囲】
【請求項１】
プール(1)と、プール(1)の吸込口(100)から吸込側通水管(20)を通して吸い込んだ水を濾過装置(22)で濾過し、供給側通水管(23)を通して供給口(110)よりプール(1)に返すことで浄化するよう構成してある浄化装置(2)とを備えており、吸込口(100)から吸い込む水の流量、流速または圧力が予め設定した値よりも低下したときに、水を供給口(110)から吸い込んで吸込口(100)より噴出できるようにするプール装置の安全装置であって、
吸込口(100)から吸い込む水の流量、流速または圧力が予め設定した値よりも低下したことを検出するための検出装置(30)と、
検出装置(30)が、吸込口(100)から吸い込む水の流量、流速または圧力が予め設定した値よりも低下したことを検出することにより、水を供給口(110)から吸い込んで濾過装置(22)を通さずに吸込口(100)より噴出できるようにする制御装置(33)と、
を備えたことを特徴とする、
プール装置の安全装置。
【請求項２】
プール(1)と、プール(1)の吸込口(100)から吸込側通水管(20)を通して吸い込んだ水を濾過装置(22)で濾過し、供給側通水管(23)を通して供給口(110)よりプール(1)に返すことで浄化するよう構成してある浄化装置(2)とを備えており、吸込口(100)から吸い込む水の流量、流速または圧力が予め設定した値よりも低下したときに、水を供給口(110)から吸い込んで吸込口(100)より噴出できるようにするプール装置の安全装置であって、
吸込口(100)から吸い込む水の流量、流速または圧力が予め設定した値よりも低下したことを検出するための検出装置(30)と、
供給口(110)から吸い込んだ水を濾過装置(22)を通さずに吸込口(100)より噴出できるようにするバイパス管と、
検出装置(30)が、吸込口(100)から吸い込む水の流量、流速または圧力が予め設定した値よりも低下したことを検出することにより、バイパス管に水が流れるようにする制御装置(33)と、
を備えたことを特徴とする、
プール装置の安全装置。
【請求項３】
プール(1)と、プール(1)の吸込口(100)から吸込側通水管(20)を通して吸い込んだ水を濾過装置(22)で濾過し、供給側通水管(23)を通して供給口(110)よりプール(1)に返すことで浄化するよう構成してある浄化装置(2)とを備えており、吸込口(100)から吸い込む水の流量、流速または圧力が予め設定した値よりも低下したときに、水を供給口(110)から吸い込んで吸込口(100)より噴出できるようにするプール装置の安全装置であって、
吸込口(100)から吸い込む水の流量、流速または圧力が予め設定した値よりも低下したことを検出するための検出装置(30)と、
供給口(110)から吸い込んだ水を濾過装置(22)を通さずに吸込口(100)より噴出できるようにする供給側バイパス管(31)及び吸込側バイパス管(32)と、
供給側バイパス管(31)及び吸込側バイパス管(32)に水が流れるようにする弁装置(340,341,342)と、
検出装置(30)が、吸込口(100)から吸い込む水の流量、流速または圧力が予め設定した値よりも低下したことを検出することにより、弁装置(340,341,342)を作動させて供給側バイパス管(31)及び吸込側バイパス管(32)に水が流れるようにする制御装置(33)と、
を備えており、
供給側バイパス管(31)は、ポンプ(21)と濾過装置(22)の間の所要位置と、吸込側通水管(20)の所要位置とを繋ぐよう設けてあり、吸込側バイパス管(32)は、供給側バイパス管(31)で挟まれた間と対応する吸込側通水管(20)と、供給側通水管(23)の所要位置とを繋ぐよう設けてあることを特徴とする、
プール装置の安全装置。
【請求項４】
吸込側通水管(20)または供給側通水管(32)には、入口側と出口側との圧力差を検出するセンサ(36)を備えたストレーナ(35)が設けてあることを特徴とする、
請求項１，２または３記載のプール装置の安全装置。
【請求項５】
請求項１，２，３または４記載のプール装置の安全装置を備えたことを特徴とする、
プール装置。
【請求項６】
プール(1)と、プール(1)の吸込口(100)から吸込側通水管(20)を通して吸い込んだ水を濾過装置(22)で濾過し、供給側通水管(23)を通して供給口(110)よりプール(1)に返すことで浄化するよう構成してある浄化装置(2)とを備えており、吸込口(100)から吸い込む水の流量、流速または圧力が予め設定した値よりも低下したときに、水を供給口(110)から吸い込んで吸込口(100)より噴出できるようにする方法であって、
吸込口(100)から吸い込む水の流量、流速または圧力が予め設定した値よりも低下したことを検出することにより、水を供給口(110)から吸い込んで濾過装置(22)を通さずに吸込口(100)より噴出できるようにすることを特徴とする、
プール装置における水の噴出方法。
【発明の詳細な説明】
【技術分野】
【０００１】
本発明は、プール装置の安全装置及びそれを備えたプール装置、プール装置における水の噴出方法に関する。
更に詳しくは、例えば、プール底部の吸込口に、遊泳者の身体の一部が吸い込まれてしまったような場合に、水を供給口から吸い込んで吸込口より噴出できるようにしたものにおいて、ポンプを変えずとも従来のものより吸込口から噴出させる単位時間当たりの水量が多くでき、これにより吸い込まれた遊泳者を押し出すようにして救出し易くしたものに関する。
【背景技術】
【０００２】
通常、プールには浄化装置が設けられており、水は常時循環されることによりゴミ等が取り除かれている。具体的には、底部に設けられた吸込口から吸い込まれて濾過装置でゴミ等が濾過され、清浄化された後に壁部に設けられた複数の供給口から再びプール内に戻されている。吸込口の上部には、格子状の蓋が設けてある。
【０００３】
しかし、このようなプールにおいては、上記した蓋が外れることにより遊泳者（主に子供）の身体の一部が吸込口に吸い込まれてしまい、自力で抜け出すことができずに溺死してしまうという事故が報告されている。
【０００４】
こうした事故の防止を図るために、従来から、吸込口に遊泳者が吸い込まれてしまったような場合に、今まで水を吸い込んでいた吸込口より反対に水が噴出できるようにして救出し易くする安全装置が開発されている。例えば、特許文献１には、浄化装置の所定箇所にバイパス管と弁装置を設けることによって、ポンプによる水の流れの方向を変えることなく、簡単に水を供給口から吸い込んで吸込口より噴出できるようにしたものが開示されている。
【特許文献１】特開昭５５−１１９８６６号公報
【発明の開示】
【発明が解決しようとする課題】
【０００５】
しかし、上記した特許文献１に示す安全装置には、次のような課題があった。
プールの吸込口は、吸い込んだ水を濾過装置に送って循環するだけのものでなく、プール内の水を廃棄するときの廃水口としての用途も兼ねている。そのため廃水管としても機能する部分は、他の浄化装置を構成する管よりも廃水効率を良くするために内径が径大に作られている。従って、単に水を供給口から吸い込んで吸込口より噴出できるようにしたものの場合では、吸込口から噴出される水圧が弱かった。つまり、このときの噴出状態では遊泳者を吸込口から押し出すような効果は期待できなかった。一般的に遊泳者が子供である場合は、体力の消耗が激しく、自力で抜け出すことが困難であることが多い。しかも救出に一刻を争う状況も想定される。従って、吸込口から噴き出される水量は多くして、これによって押し出すようにして救出し易くすることが望ましい。
【０００６】
本発明の目的は、例えば、プール底部の吸込口に、遊泳者の身体の一部が吸い込まれてしまったような場合に、水を供給口から吸い込んで吸込口より噴出できるようにしたものにおいて、ポンプを変えずとも従来のものより吸込口から噴出させる単位時間当たりの水量が多くでき、これにより吸い込まれた遊泳者を押し出すようにして救出し易くすることにある。
【課題を解決するための手段】
【０００７】
上記目的を達成するために本発明が講じた手段は次のとおりである。
第１の発明にあっては、
プールと、プールの吸込口から吸込側通水管を通して吸い込んだ水を濾過装置で濾過し、供給側通水管を通して供給口よりプールに返すことで浄化するよう構成してある浄化装置とを備えており、吸込口から吸い込む水の流量、流速または圧力が予め設定した値よりも低下したときに、水を供給口から吸い込んで吸込口より噴出できるようにするプール装置の安全装置であって、
吸込口から吸い込む水の流量、流速または圧力が予め設定した値よりも低下したことを検出するための検出装置と、
検出装置が、吸込口から吸い込む水の流量、流速または圧力が予め設定した値よりも低下したことを検出することにより、水を供給口から吸い込んで濾過装置を通さずに吸込口より噴出できるようにする制御装置と、
を備えたことを特徴とする、
プール装置の安全装置である。
【０００８】
第２の発明にあっては、
プールと、プールの吸込口から吸込側通水管を通して吸い込んだ水を濾過装置で濾過し、供給側通水管を通して供給口よりプールに返すことで浄化するよう構成してある浄化装置とを備えており、吸込口から吸い込む水の流量、流速または圧力が予め設定した値よりも低下したときに、水を供給口から吸い込んで吸込口より噴出できるようにするプール装置の安全装置であって、
吸込口から吸い込む水の流量、流速または圧力が予め設定した値よりも低下したことを検出するための検出装置と、
供給口から吸い込んだ水を濾過装置を通さずに吸込口より噴出できるようにするバイパス管と、
検出装置が、吸込口から吸い込む水の流量、流速または圧力が予め設定した値よりも低下したことを検出することにより、バイパス管に水が流れるようにする制御装置と、
を備えたことを特徴とする、
プール装置の安全装置である。
【０００９】
第３の発明にあっては、
プールと、プールの吸込口から吸込側通水管を通して吸い込んだ水を濾過装置で濾過し、供給側通水管を通して供給口よりプールに返すことで浄化するよう構成してある浄化装置とを備えており、吸込口から吸い込む水の流量、流速または圧力が予め設定した値よりも低下したときに、水を供給口から吸い込んで吸込口より噴出できるようにするプール装置の安全装置であって、
吸込口から吸い込む水の流量、流速または圧力が予め設定した値よりも低下したことを検出するための検出装置と、
供給口から吸い込んだ水を濾過装置を通さずに吸込口より噴出できるようにする供給側バイパス管及び吸込側バイパス管と、
供給側バイパス管及び吸込側バイパス管に水が流れるようにする弁装置と、
検出装置が、吸込口から吸い込む水の流量、流速または圧力が予め設定した値よりも低下したことを検出することにより、弁装置を作動させて供給側バイパス管及び吸込側バイパス管に水が流れるようにする制御装置と、
を備えており、
供給側バイパス管は、ポンプと濾過装置の間の所要位置と、吸込側通水管の所要位置とを繋ぐよう設けてあり、吸込側バイパス管は、供給側バイパス管で挟まれた間と対応する吸込側通水管と、供給側通水管の所要位置とを繋ぐよう設けてあることを特徴とする、
プール装置の安全装置である。
【００１０】
第４の発明にあっては、
吸込側通水管または供給側通水管には、入口側と出口側との圧力差を検出するセンサを備えたストレーナが設けてあることを特徴とする、
第１，第２または第３の発明に係るプール装置の安全装置である。
【００１１】
第５の発明にあっては、
第１，第２，第３または第４の発明に係るプール装置の安全装置を備えたことを特徴とする、
プール装置である。
【００１２】
第６の発明にあっては、
プールと、プールの吸込口から吸込側通水管を通して吸い込んだ水を濾過装置で濾過し、供給側通水管を通して供給口よりプールに返すことで浄化するよう構成してある浄化装置とを備えており、吸込口から吸い込む水の流量、流速または圧力が予め設定した値よりも低下したときに、水を供給口から吸い込んで吸込口より噴出できるようにする方法であって、
吸込口から吸い込む水の流量、流速または圧力が予め設定した値よりも低下したことを検出することにより、水を供給口から吸い込んで濾過装置を通さずに吸込口より噴出できるようにすることを特徴とする、
プール装置における水の噴出方法である。
【００１３】
本明細書及び特許請求の範囲でいう「プール」という用語は、水（湯も含む）を溜める場所という意味を有しており、例えば、大型の浴槽も含む概念として使用している。
【００１４】
（作  用）
本発明に係るプールの安全装置及びそれを備えたプール装置の作用を説明する。
−正常時の状態−
プールの水は、吸込口から吸込側通水管を通して吸い込まれ、濾過装置で濾過され、供給側通水管を通して供給口より返されて浄化されている。
【００１５】
−異常時の状態−
吸込口に遊泳者の身体の一部が吸い込まれたような場合等では、検出装置が吸込口から吸い込む水の流量、流速または圧力が予め設定した値よりも低下したことを検出し、制御装置にその信号が送られる。そして、制御装置によって水が供給口から吸い込まれて濾過装置を通さずに吸込口より噴出される。
【００１６】
また、吸込口に遊泳者の身体の一部が吸い込まれたような場合等では、検出装置が吸込口から吸い込む水の流量、流速または圧力が予め設定した値よりも低下したことを検出し、制御装置にその信号が送られて、制御装置によってバイパス管に水が流される。これにより水は供給口から供給側通水管に吸い込まれ、バイパス管から吸込側通水管を通して濾過装置を通さずに吸込口より噴出される。
【００１７】
吸込側バイパス管と供給側バイパス管を備えたものにあっては、供給口から吸い込んだ水を吸込側バイパス管を通して吸込側通水管のポンプ側の部分に送り、当該ポンプを介在させて供給側バイパス管から吸込側通水管の吸込口側の部分に送って吸込口より噴出させることができる。
【００１８】
吸込側通水管または供給側通水管に、入口側と出口側との圧力差を検出するセンサを備えたストレーナが設けてあるものは、ストレーナに髪の毛等が溜まることによりセンサが作動し、ストレーナに髪の毛等が溜まったことを知らせることができる。
【発明の効果】
【００１９】
本発明は上記構成を備え、次の効果を有する。
（ａ）本発明によれば、異常時における運転状態において水を濾過装置に通さないので、濾過装置を通る抵抗による損失を防いだ状態で吸込口から水を噴出させることができる。従って、例えば、吸込側通水管に排水のための径大部が形成されている場合でも、吸込口から噴出させる単位時間当たりの水量が多くでき、これにより吸い込んだ遊泳者を吸込口から押し出すようにでき、救出し易くなる。
【００２０】
（ｂ）吸込側バイパス管と供給側バイパス管を備えたものにあっては、異常時の状態において、供給口から吸い込んだ水を吸込側バイパス管を通して吸込側通水管のポンプ側の部分に送り、当該ポンプを介在させて供給側バイパス管から吸込側通水管の吸込口側の部分に送って吸込口より噴出させることができる。この場合では、異常時においてもポンプから送られる水を吸込側通水管に送ることができるので、ポンプは送水方向を変える必要がなく、正常時の状態のまま使うことができる。
【００２１】
（ｃ）吸込側通水管または供給側通水管に、入口側と出口側との圧力差を検出するセンサを備えたストレーナが設けてあるものは、ストレーナに髪の毛等が溜まることによりセンサが作動し、ストレーナに髪の毛等が溜まったことを知らせることができる。
【発明を実施するための最良の形態】
【００２２】
本発明の実施の形態を図面に基づき更に詳細に説明する。
図１は本発明に係る安全装置を備えたプール装置の一実施の形態を示すものであって、正常時における運転状態を示す説明図である。
符号Ｐは安全装置を備えたプール装置の全体を示している。プール装置Ｐは、水を溜めるプール１と、プール１内の水を浄化するための浄化装置２と、安全装置３を備えている。本実施の形態において安全装置３は、図において点線で囲って示している。
【００２３】
プール１の底部１０は中央部に向けてやや傾斜するよう形成してあり、その中心部には水を吸い込む吸込口１００（異常時では供給側になる）が設けてある。また、プール１の側部１１には、水を供給する（戻す）ための供給口１１０（異常時では吸込側になる）が複数箇所に設けてある。吸込口１００は、プール１内の水を廃棄するときの廃水口としての機能も兼ねている。
【００２４】
浄化装置２は、濾過装置２２と、濾過装置２２とプール１の吸込口１００とを繋ぐ吸込側通水管２０と、吸込側通水管２０の途中に設けてあるポンプ２１と、濾過装置２２とプール１の供給口１１０とを繋ぐ供給側通水管２３を備えている。
【００２５】
このうち吸込側通水管２０の一端側は、吸込口１００が廃水口としての機能も兼ねていることから内径がやや径大に形成されている。符号２００は吸込側通水管２０の径大部を示している。また、吸込側通水管２０と供給側通水管２３の濾過装置２２近傍には、濾過装置２２の逆洗浄を行う際に水路を切り換える五方弁２４が設けられている。なお、逆洗浄時における水の流れは、図１において点線の矢印で示している。
【００２６】
安全装置３は、検出装置３０と、供給側バイパス管３１と、吸込側バイパス管３２を備えている。検出装置３０は、吸込側通水管２０に設けてあり、この吸込側通水管２０を通る水の流量、流速または圧力が予め設定した値よりも低下したことを検出するものである。供給側バイパス管３１は、一端が検出装置３０より吸込口１００側にあたる吸込側通水管２０（図において符号ａで示す部分）に繋いであり、他端がポンプ２１と濾過装置２２の間の吸込側通水管２０（図において符号ｃで示す部分）に繋いである。また、吸込側バイパス管３２は、一端が検出装置３０とポンプ２１の間の吸込側通水管２０（図において符号ｂで示す部分）に繋いであり、他端が供給側通水管２３の所要位置に設けられた弁装置（図において符号ｄで示す部分）に繋いである。
【００２７】
更に、安全装置３は、弁装置（後述する二方弁３４０、３４１と、三方弁３４２）と制御装置３３を備えている。弁装置は、異常時に切り換えて供給側バイパス管３１及び吸込側バイパス管３２に水が流れるようにするものである。制御装置３３は、検出装置３０の検出により弁装置を作動させて供給側バイパス管３１及び吸込側バイパス管３２に水が流れるようにするものである。
【００２８】
具体的に弁装置は、二方弁３４０、３４１と、三方弁３４２を備えている。二方弁３４０は、供給側バイパス管３１の所要箇所に設けてある。二方弁３４１は、吸込側通水管２０のうち吸込側バイパス管３２の一端が繋いである部分（図において符号ｂで示す部分）と、検出装置３０の出口側との間にあたる吸込側通水管２０に設けてある。三方弁３４２は、供給側通水管２３の所要箇所に設けてあり、吸込側バイパス管３２の他端（図において符号ｄで示す部分）が繋いである。なお、図２においては説明の便宜上、三方弁３４２を境として供給側通水管２３の濾過装置２２側を符号２３ａで示し、供給口１１０側を符号２３ｂで示している。
【００２９】
吸込側通水管２０の検出装置３０より吸込口１００側には、髪の毛等を取り除くストレーナ３５が設けてある。ストレーナ３５には、入口側と出口側の間に所定の圧力差が生じた場合に、そのことを検出する差圧センサ３６が設けられている。
【００３０】
なお、図示は省略したが、安全装置３には、検出装置３０や差圧センサ３６が作動したときに、そのことを外部に報知する報知装置が備えてある。本実施の形態で報知装置は、音を発する警報装置と、光を発する報知灯を備えたものを例示する。この警報装置と報知灯は、音や光の色彩を変えることで、検出装置３０が作動したのか、差圧センサ３６が作動したのかが識別できるようにしてある。
【００３１】
（作  用）
図２は図１に示すプール装置の異常時における運転状態を示す説明図である。
図１及び図２を参照して、本実施の形態で示すプール装置の作用を説明する。
【００３２】
まず、正常時における運転状態を説明する。
正常時では二方弁３４０が閉塞状態で、二方弁３４１が開放状態になっている。従って、ポンプ２１が作動することにより、プール１の水は吸込口１００から径大部２００を通って吸込側通水管２０内に吸い込まれる。吸込側通水管２０内を流れる水は、途中に設けられた検出装置３０によって、流量、流速または圧力が低下しないか監視されている。なお、検出装置３０が上記各要素に関して予め設定した値よりも低下したことを検出した場合では、制御装置３３にその信号が送られる。
【００３３】
検出装置３０を通った水はポンプ２１及び五方弁２４を介して濾過装置２２に流れ込み、濾過装置２２で濾過されて再び五方弁２４を介して、供給側通水管２３に送られる。そして、供給側通水管２３を通った水は、プール１の側部１１に設けた供給口１１０からプール１に戻る。こうして水はプール１及び浄化装置２内を循環している。
【００３４】
次に、例えば、蓋が外れる等して、遊泳者の身体の一部が吸い込まれた場合等、異常時における運転状態を説明する。
このような場合では、吸込口１００に水が流れ込み難くなるので、流量、流速または圧力が低下する。そして、そのことが検出装置３０によって検出され、制御装置３３にその信号が送られる。また、検出装置３０が作動することにより、上記のような異常時の状態を知らせる音や光を発すべく警報装置と報知灯が作動する。
【００３５】
検出装置３０による信号を受けた制御装置３３は、正常時における運転時において開放していた二方弁３４１を閉じ、替わりに供給側バイパス管３１に設けてある二方弁３４０を開放状態にし、更に、三方弁３４２の流れの方向も切り換えて、供給側通水管２３ｂと吸込側バイパス管３２が連通するようにする。なお、弁装置の切り換え時はポンプ２１が停止し、抵抗が少ない状態で切り替えられる。
【００３６】
こうして弁装置（二方弁３４０，３４１，三方弁３４２）が切り換えられることにより水の流れの方向が変わる。具体的には、水は供給口１１０から供給側通水管２３ｂに吸い込まれ、吸込側バイパス管３２から吸込側通水管２０を通り、ポンプ２１を介して供給側バイパス管３１に流れ込む。そして、供給側バイパス管３１を通った水は、吸込側通水管２０の径大部２００を通って、プール１の底部１０に設けた吸込口１００からプール１に戻る。
【００３７】
このように濾過装置２２を通さずに水を吸込口１００から噴出させることができるので、濾過装置２２を通る抵抗による損失を防いだ状態で水を吸込口１００から噴出させることができる。従って、吸込口１００側の吸込側通水管２０に排水のための径大部２００が形成されている場合でも、吸込口から噴出させる単位時間当たりの水量が多くでき、これにより遊泳者を吸込口１００から押し出すようにでき救出し易くなる。
【００３８】
安全装置３では、供給側バイパス管３１の一端が検出装置３０より吸込口１００側にあたる吸込側通水管２０に繋いであるので、水を吸込口１００から噴出させる場合でも検出装置３０やストレーナ３５を通らない。従って、例えば、ストレーナ３５に溜まっていた髪の毛等が逆流して吸込口１００から噴き出されたりしない。
【００３９】
また、供給側バイパス管３１の他端がポンプ２１と濾過装置２２の間の吸込側通水管２０に繋いであり、異常時においてもポンプ２１から送られる水を吸込側通水管２０に送ることができるので、ポンプ２１は送水方向を変える必要がなく、正常時の状態のまま使うことができる。
【００４０】
正常時においてストレーナ３５に髪の毛等が溜まった場合について説明する。
ストレーナ３５の入口側と出口側には、その間に所定の圧力差が生じた場合に、そのことを検出して制御装置３３に信号を送る差圧センサ３６が設けられている。従って、ストレーナ３５に髪の毛等が溜まることにより差圧センサ３６が作動し、ストレーナ３５に髪の毛等が溜まったことを知らせる音や光を発すべく警報装置と報知灯が作動する。こうして音や光が発せられることにより、従来、目視確認により行っていたストレーナ３５の清掃時期がわかり、ひいては循環水量不足による水質悪化を防止することもできる。
【００４１】
なお、吸込口１００に遊泳者が吸い込まれてしまったような場合では、吸込口１００に水が流れ込み難くなるので流量、流速または圧力が低下するが、ストレーナ３５の入口側と出口側だけを見るとこの間に大きな圧力差は生じていないので、このような場合でも差圧センサ３６は作動しない。
【００４２】
また、ストレーナ３５にゴミが溜まることによって流量、流速または圧力が低下し、そのことによって検出装置３０が作動することも考えられるが、この場合では検出装置３０がそのことを検出するよりもその前にストレーナ３５にゴミが溜まったことを差圧センサ３６が検出して音や光が発せられるように設定してあるので、その際にストレーナ３５を清掃すればストレーナ３５にゴミが溜まることで検出装置３０が作動することもない。
【００４３】
制御装置３３を操作することによって、弁装置（二方弁３４０，３４１，三方弁３４２）を切り換え、安全装置３の報知状態を止めて再び正常時の待機状態に戻すことができる。
【００４４】
本実施の形態では弁装置（二方弁３４０，３４１，三方弁３４２）の切り換えを行う際にポンプ２１を停止し、抵抗が少ない状態で切り替えるようにしたが、これは限定するものではなく、ポンプ２１を停止することなく切り換えることもできる。
【００４５】
本実施の形態で報知装置は警報装置と報知灯を備えたものを例示したが、これは限定するものではなく、例えば、警報装置だけを備えたものでも良いし、報知灯だけを備えたものでも良い。
【００４６】
本実施の形態で示す安全装置３は、新設のプール１や、浄化装置２を備える既設のプール１に取り付けることができる。
【００４７】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００４８】
【図１】本発明に係る安全装置を備えたプール装置の一実施の形態を示すものであって、正常時における運転状態を示す説明図。
【図２】図１に示すプール装置の異常時における運転状態を示す説明図。
【符号の説明】
【００４９】
Ｐ  プール装置
１  プール
１０  底部
１００  吸込口
１１  側部
１１０  供給口
２  浄化装置
２０  吸込側通水管
２００  径大部
２１  ポンプ
２２  濾過装置
２３  供給側通水管
２４  五方弁
３  安全装置
３０  検出装置
３１  供給側バイパス管
３２  吸込側バイパス管
３３  制御装置
３４０、３４１  二方弁
３４２  三方弁
３５  ストレーナ
３６  差圧センサ
【図１】
2007039875.tif 000003
【図２】
2007039875.tif 000004